(57)【要約】【課題】複数の光源モジュールが一列に並べられたときに、複数の光源モジュール全体の明るさのムラを低減できる光源モジュールを提供する。【解決手段】光源モジュール２２は、基板２２１と、複数の光源２２０と、を備える。複数の光源２２０は、基板２２１に設けられている。複数の光源２２０は、基板２２１の長手方向に沿って並んでいる。複数の光源２２０は、第１光源２２０Ａ，２２０Ｂと、複数の第２光源２２０Ｃとを含む。第１光源２２０Ａ，２２０Ｂは、複数の光源２２０のうちの一番端に並んでいる。複数の第２光源２２０Ｃは、複数の光源２２０のうちの第１光源２２０Ａ，２２０Ｂ以外の光源である。第１光源２２０Ａ，２２０Ｂにおける光を放射する放射性能は、第２光源２２０Ｃの前記放射性能よりも高い。【選択図】図３
2020119868.tif 000002
【特許請求の範囲】
【請求項１】
基板と、
前記基板に設けられた複数の光源と、を備え、
前記複数の光源は、前記基板の長手方向に沿って並んでおり、
前記複数の光源は、前記複数の光源のうちの一番端に並んだ第１光源と、前記複数の光源のうちの前記第１光源以外の複数の第２光源とを含み、
前記第１光源における光を放射する放射性能は、前記第２光源の前記放射性能よりも高い、
光源モジュール。
【請求項２】
前記放射性能は、前記光源が放射する光束の大きさを示す性能、又は前記光源が放射する光の配光の広さを示す性能である、
請求項１に記載の光源モジュール。
【請求項３】
前記第１光源は、前記基板における長手方向の両端部のうち、他の光源モジュールと隣り合う端部の付近に設けられている、
請求項１又は２に記載の光源モジュール。
【請求項４】
前記第１光源と、前記複数の第２光源のうち前記第１光源の隣に配置された第２光源との間隔を第１間隔とし、
前記複数の第２光源における隣り合う第２光源の間隔を第２間隔とし、
前記第１間隔は、前記第２間隔よりも大きい、
請求項１〜３の何れか１項に記載の光源モジュール。
【請求項５】
前記第１光源と、前記複数の第２光源のうち前記第１光源の隣に配置された第２光源との間隔を第１間隔とし、
前記複数の第２光源における隣り合う第２光源の間隔を第２間隔とし、
前記第１間隔は、前記第２間隔よりも小さい、
請求項１〜３の何れか１項に記載の光源モジュール。
【請求項６】
複数の光源モジュールを備え、
前記複数の光源モジュールの各々は、
基板と、
前記基板に設けられた複数の光源と、を備え、
前記複数の光源は、前記基板の長手方向に沿って並んでおり、
前記複数の光源モジュールの各々の前記基板は、前記長手方向に沿って一列に並んでおり、
前記複数の光源モジュールのうちの少なくとも１つは、請求項１〜５の何れか１項に記載の光源モジュールである、
光源ユニット。
【請求項７】
請求項６に記載の光源ユニットと、
前記光源ユニットを支持する器具本体と、を備える
照明器具。
【発明の詳細な説明】
【技術分野】
【０００１】
本開示は、一般に、光源モジュール、光源ユニット及び照明器具に関し、より詳細には、複数の光源を備えた光源モジュール、前記光源モジュールを複数備える光源ユニット、及び前記光源ユニットを備える照明器具に関する。
【背景技術】
【０００２】
特許文献１に記載の照明器具は、複数のモジュール（光源モジュール）を備えている。各モジュールは、複数のＬＥＤ（light emitting diode）と基板とを有する。複数のＬＥＤは、基板の実装面において、その長手方向に沿って等間隔に配置されている。すなわち、複数のＬＥＤは、一番端のＬＥＤと、一番端のＬＥＤ以外のＬＥＤとを含む。複数のモジュールは、基板の長手方向に沿って一列に並んでいる。
【先行技術文献】
【特許文献】
【０００３】
【特許文献１】特開２０１３−２２９２７６
【発明の概要】
【発明が解決しようとする課題】
【０００４】
特許文献１に記載の照明器具では、隣り合うモジュールにおける隣り合う一番端のＬＥＤの間隔は、各モジュール内の隣り合うＬＥＤの間隔よりも大きくなる傾向がある。これにより、隣り合うモジュールの間の部分の光束密度は、各モジュール内の光束密度よりも小さくなる。この結果、照明器具の明るさにムラが生じる。
【０００５】
本開示は、複数の光源モジュールが一列に並べられたときに、複数の光源モジュール全体の明るさのムラを低減できる光源モジュール、光源ユニット及び照明器具を提供することを目的とする。
【課題を解決するための手段】
【０００６】
本開示の一態様に係る光源モジュールは、基板と、複数の光源と、を備える。前記複数の光源は、前記基板に設けられている。前記複数の光源は、前記基板の長手方向に沿って並んでいる。前記複数の光源は、第１光源と、複数の第２光源とを含む。前記第１光源は、前記複数の光源のうちの一番端に並んでいる。前記複数の第２光源は、前記複数の光源のうちの前記第１光源以外の光源である。前記第１光源における光を放射する放射性能は、前記第２光源の前記放射性能よりも高い。
【０００７】
本開示の一態様に係る光源ユニットは、複数の光源モジュールを備える。前記複数の光源モジュールの各々は、基板と、複数の光源と、を備える。前記複数の光源は、前記基板に設けられている。前記複数の光源は、前記基板の長手方向に沿って並んでいる。前記複数の光源モジュールの各々の前記基板は、前記長手方向に沿って一列に並んでいる。前記複数の光源モジュールのうちの少なくとも１つは、上記の一態様に係る光源モジュールである。
【０００８】
本開示の一態様に係る照明器具は、前記光源ユニットと、器具本体と、を備える。前記器具本体は、前記光源ユニットを支持する。
【発明の効果】
【０００９】
本開示によれば、複数の光源モジュールが一列に並べられたときに、複数の光源モジュール全体の明るさのムラを低減できる、という利点がある。
【図面の簡単な説明】
【００１０】
【図１】図１は、実施形態に係る照明器具の斜視図である。
【図２】図２は、同上の照明器具の分解斜視図である。
【図３】図３は、実施形態に係るＬＥＤモジュールの平面図である。
【図４】図４は、変形例１に係るＬＥＤモジュールの平面図である。
【図５】図５Ａは、変形例２に係るＬＥＤモジュールの平面図である。図５Ｂは、ＬＥＤモジュールに設けられた複数のＬＥＤのうちの一番端のＬＥＤの配光特性を示す図である。図５Ｃは、上記の複数のＬＥＤのうちの一番端のＬＥＤ以外のＬＥＤの配光特性を示す図である。
【図６】図６は、変形例３に係るＬＥＤモジュールの平面図である。
【図７】図７は、変形例４に係るＬＥＤモジュールの平面図である。
【発明を実施するための形態】
【００１１】
以下、実施形態に係る照明器具について、図面を参照して詳細に説明する。ただし、実施形態において説明する各図は模式的な図であり、各構成要素の大きさ及び厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
（実施形態）
実施形態に係る照明器具３は、図１及び図２に示すように、光源ユニット２と、光源ユニット２を支持する器具本体４とを有している。光源ユニット２は、天井に直付けされる器具本体４に着脱可能に取り付けられる。ただし、器具本体４は、天井に埋め込まれてもよいし、あるいは、壁に直付けされてもよいし、壁に埋め込まれてもよい。
【００１３】
器具本体４は、下面が開放された矩形箱状の収容部４０と、収容部４０の長手方向に沿った両側の開口端縁より斜め上向きに突出する一対の反射板４１と、収容部４０及び一対の反射板４１の長手方向の両端に設けられた一対のエンド板４２とを備える（図２参照）。器具本体４は、収容部４０の底面に設けられている複数の取付孔４００のうちの少なくともいずれか２つの取付孔４００に吊りボルト（不図示）がそれぞれ挿通され、それらの吊りボルトにナット（不図示）が締め付けられることで天井に設置される。また、収容部４０の底面に設けられている複数の電源孔４０１のうちのいずれか一つの電源孔４０１に電源線が挿通される。電源孔４０１に挿通された電源線は、端子台（不図示）を介して、点灯装置１と電気的に接続される。
【００１４】
光源ユニット２は、図２に示すように、点灯装置１と、点灯装置１によって点灯させられる複数（例えば２つ）のＬＥＤモジュール２２（光源モジュール）とを備えている。また、光源ユニット２は、取付部材２１と、カバー２３とを備えることが好ましい。２つのＬＥＤモジュール２２を区別する場合は、２つのＬＥＤモジュール２２をＬＥＤモジュール２２Ｓ，２２Ｔと記載する。
【００１５】
ＬＥＤモジュール２２は、複数（例えば多数）のＬＥＤ２２０（光源）と、基板２２１と、中継コネクタ２２３とを備えている。
【００１６】
基板２２１は、長尺の矩形板状に形成されている。
【００１７】
複数のＬＥＤ（Light Emitting Diode）２２０は、例えば、白色の光を放射する照明用白色ＬＥＤである。複数のＬＥＤ２２０は、例えば、パッケージ型又はチップオンボード型のＬＥＤである。複数のＬＥＤ２２０は、基板２２１の表面（下面）における短手方向の中央に、基板２２１の長手方向に沿って等間隔に一列に並べて実装されている。なお、本実施形態では、複数のＬＥＤ２２０は、基板２２１の幅方向に一列に並ぶが、基板２２１の幅方向に複数列並んでもよい。ＬＥＤ２２０の光軸は、基板２２１の表面（下面）の法線に平行である。
【００１８】
中継コネクタ２２３は、それぞれのＬＥＤモジュール２２の基板２２１において、２つのＬＥＤモジュール２２同士が基板２２１の長手方向に沿って隣り合う側の端部にそれぞれ実装されている。一方（右側）のＬＥＤモジュール２２Ｔは、入力コネクタ２２２を備えている。入力コネクタ２２２は、右側のＬＥＤモジュール２２Ｔの基板２２１において、中継コネクタ２２３が実装されている側と反対側の端部（右側の端部）に実装されている。
【００１９】
取付部材２１は、金属板によって長尺の角樋状に形成されている。取付部材２１は、長尺の矩形板状の底板２１０と、底板２１０の長手方向に沿った両端から上向きに立ち上がる一対の側板２１１とを有している。２つのＬＥＤモジュール２２は、互いの中継コネクタ２２３同士が電気的に接続された状態で、底板２１０から切り起こされている複数の爪によって底板２１０の下面に取り付けられている。なお、ＬＥＤモジュール２２の入力コネクタ２２２は、電線によって点灯装置１の出力用のコネクタと電気的に接続される。
【００２０】
カバー２３は、アクリル樹脂やポリカーボネート樹脂などの透光性を有する合成樹脂によって半円筒形状に形成されている。また、カバー２３は、長手方向に沿って上向きに突出する一対の突壁２３３を有している。カバー２３は、一対の突壁２３３の間に取付部材２１を収容し、取付部材２１の一対の側板２１１の先端（上端）に、一対の突壁２３３の先端（上端）に形成されている引掛部が引っ掛けられることで取付部材２１に取り付けられる。
【００２１】
点灯装置１は、プリント回路板１９と、プリント回路板１９を収容するケース１８とを有する。プリント回路板１９は、長方形状のプリント配線板に集積回路を含む種々の電子部品が実装されて構成されている。ケース１８は、金属板により、一面（下面）が開口した長尺の矩形箱状に形成されている。ケース１８は、プリント回路板１９を収容し、開口面を底板２１０の上面に向けるようにして取付部材２１に固定される。なお、ケース１８は、取付部材２１に固定された状態において、取付部材２１と電気的に接続されている。さらに、取付部材２１は、光源ユニット２が器具本体４に取り付けられた状態において器具本体４と電気的に接続されている。したがって、点灯装置１のケース１８は、取付部材２１を通して器具本体４と電気的に接続される。
【００２２】
図３を参照して、ＬＥＤモジュール２２（２２Ｓ，２２Ｔ）について更に詳しく説明する。なお、図３では、中継コネクタ２２３は、図示省略されている。
【００２３】
ＬＥＤモジュール２２は、上述の通り、複数のＬＥＤ２２０と、矩形板状（例えば長尺の矩形板状）の基板２２１とを有している。複数のＬＥＤ２２０は、上述の通り、基板２２１の表面（下面）に設けられており、基板２２１の長手方向に沿って等間隔に一列に並んでいる。複数のＬＥＤ２２０の光軸は、基板２２１の表面（下面）に垂直である。
【００２４】
複数のＬＥＤ２２０（光源）は、複数のＬＥＤ２２０のうちの一番端に並んだＬＥＤ２２０Ａ，２２０Ｂ（第１光源）と、一番端のＬＥＤ２２０Ａ，２２０Ｂ以外の複数のＬＥＤ２２０Ｃ（第２光源）とを含む。一番端のＬＥＤ２２０Ａは、基板２２１における長手方向の一端部２２１ａ付近に配置されている。反対側の一番端のＬＥＤ２２０Ｂは、基板２２１における長手方向の他端部２２１ｂ付近に配置されている。
【００２５】
一番端のＬＥＤ２２０Ａ，２２０Ｂの放射性能は、他のＬＥＤ２２０Ｃの放射性能よりも高い。他のＬＥＤ２２０Ｃとは、複数のＬＥＤ２２０のうち、一番端のＬＥＤ２２０Ａ，２２０Ｂ以外の全てのＬＥＤである。放射性能とは、ＬＥＤ２２０が光を放射する性能である。より詳細には、放射性能とは、ＬＥＤ２２０が放射する光の光束の大きさを示す性能、又はＬＥＤ２２０が放射する光の配光の広さを示す性能を含む。本実施形態では、放射性能は、例えば、ＬＥＤ２２０が放射する光の光束の大きさを示す性能である。すなわち、一番端のＬＥＤ２２０Ａ，２２０Ｂが放射する光の光束は、他のＬＥＤ２２０Ｃが放射する光の光束よりも大きい。
【００２６】
なお、一番端のＬＥＤ２２０Ａ，２２０Ｂの放射性能が他のＬＥＤ２２０Ｃの放射性能よりも高いとは、一番端のＬＥＤ２２０Ａ，２２０Ｂの放射性能が他のＬＥＤの放射性能の平均値よりも高いという意味であってもよいし、一端端のＬＥＤ２２０Ａ，２２０Ｂの放射性能が他のＬＥＤ２２０Ｃの全ての放射性能よりも高いという意味であってもよい。
【００２７】
本実施形態では、複数のＬＥＤ２２０は全て、同品番のＬＥＤである。そして、一端端のＬＥＤ２２０Ａ，２２０Ｂの光束ランクは、他のＬＥＤ２２０Ｃの光束ランクよりも大きい。これにより、一端端のＬＥＤ２２０Ａ，２２０Ｂの放射性能（すなわち放射する光の光束の大きさ）が他のＬＥＤ２２０Ｃの放射性能よりも高くなっている。なお、同じ品番のＬＥＤ２２０は、その光束の大きさに応じてランク分けされており、このランクを光束ランクといい、光束ランクが高いほどＬＥＤ２２０の光束は大きくなる。
【００２８】
このように構成された２つのＬＥＤモジュール２２Ｓ，２２Ｔは、基板２２１の長手方向に沿って一列に並んでいる。ＬＥＤモジュール２２Ｓの基板２２１の端部２２１ｂと、ＬＥＤモジュール２２Ｔの基板２２１の端部２２１ａとは、互いに隣り合っている。以下、各ＬＥＤモジュール２２Ｓ，２２Ｔの基板２２１において、互いに隣り合う端部２２１ａ，２２１ｂを、隣接端部２２１ａ，２２１ｂとも記載する。ＬＥＤモジュール２２Ｓの一番端のＬＥＤ２２０Ｂと、ＬＥＤモジュール２２Ｔの一番端のＬＥＤ２２０Ａとは、互いに隣り合っている。
【００２９】
このように一列に並んだＬＥＤモジュール２２Ｓ，２２Ｔにおいて、間隔Ｄ１は、間隔Ｄ２よりも大きい。間隔Ｄ１は、各ＬＥＤモジュール２２Ｓ，２２Ｔにおける隣り合う一番端のＬＥＤ２２０Ａ，２２０Ｂの間隔である。間隔Ｄ２は、各ＬＥＤモジュール２２Ｓ，２２Ｔ内の複数のＬＥＤ２２０における隣り合うＬＥＤ２２０の間隔である。なお、本実施形態では、間隔Ｄ１，Ｄ２は、平面視において、隣り合うＬＥＤ２２０の中心間の距離であるが、隣り合うＬＥＤ２２０における互いに対向する端部の間の距離であってもよい。
【００３０】
次に照明器具３の動作を説明する。
【００３１】
複数のＬＥＤモジュール２２Ｓ，２２Ｔ内の複数のＬＥＤ２２０は、基板２２１の下面からその下面の法線方向に光を放射する（図２参照）。その放射された光は、カバー２３を透過して外部に照明光として放射される。この照明器具３では、ＬＥＤモジュール２２Ｓ，２２Ｔの各々において、複数のＬＥＤ２２０のうち一番端のＬＥＤ２２０Ａ，２２０Ｂの放射性能（すなわち放射する光の光束の大きさ）は、他の光源２２０Ｃの放射性能よりも高い。すなわち、各ＬＥＤモジュール２２Ｓ，２２Ｔの隣接端部２２１ａ，２２１ｂ付近には、より高い放射性能を有するＬＥＤ２２０Ａ，２２０Ｂが配置されている。これにより、間隔Ｄ１が間隔Ｄ２よりも大きくても、隣り合うＬＥＤモジュール２２Ｓ，２２Ｔの間の部分（すなわち間隔Ｄ１の部分）の光束密度の低下を抑制できる。この結果、複数のＬＥＤモジュール２２Ｓ，２２Ｔ全体の明るさのムラを低減できる。すなわち、照明器具３の照明光の明るさのムラを低減できる。
【００３２】
また、本実施形態では、ＬＥＤ２２０の放射性能は、ＬＥＤ２２０が放射する光の光束の大きさであるため、隣り合うＬＥＤモジュール２２Ｓ，２２Ｔの間の部分の光束密度の低下を容易に抑制できる。
【００３３】
なお、本実施形態では、複数のＬＥＤ２２０のうちの両側の一番端のＬＥＤ２２０Ａ，２２０Ｂの放射特性が他のＬＥＤ２２０Ｃの放射特性よりも高い。ただし、両側の一番端のＬＥＤ２２０Ａ，２２０Ｂのうちの一方の一番端のＬＥＤ２２０Ｂの放射特性だけが、他のＬＥＤ２２０Ｃの放射特性よりも高くてもよい。なお、一方の一端部のＬＥＤ２２０Ｂは、基板２２１の両端部２１１ａ，２１１ｂのうち、他の光源モジュール２２の基板２２１と隣り合う端部である。
【００３４】
（実施形態の変形例）
以下、上記の実施形態の変形例について説明する。以下の説明では、上記の実施形態と同じ構成要素については、同じ符号を付して説明を省略する場合がある。なお、上記の実施形態の変形例の組み合わせも実施可能である。
【００３５】
（変形例１）
上記の実施形態では、各ＬＥＤモジュール２２において、一番端のＬＥＤ２２０Ａ，２２０Ｂと他のＬＥＤ２２０Ｃとは、同じ品番のＬＥＤである。ただし、図４に示すように、一番端のＬＥＤ２２０Ａ，２２０Ｂと他のＬＥＤ２２０Ｃとは、異なる品番のＬＥＤであってもよい。この場合は、各ＬＥＤモジュール２２において、一番端のＬＥＤ２２０Ａ，２２０Ｂは、他のＬＥＤ２２０Ｃよりも光束の大きい品番のＬＥＤである。これにより、一番端のＬＥＤ２２０Ａ，２２０Ｂの光束が他のＬＥＤ２２０Ｃの光束よりも大きくなっている。
【００３６】
本変形例でも、上記の実施形態と同様に、複数のＬＥＤモジュール２２Ｓ，２２Ｔが一列に並べられたときに、間隔Ｄ１が間隔Ｄ２よりも大きくても、隣り合うＬＥＤモジュール２２Ｓ，２２Ｔの間の部分（間隔Ｄ１の部分）の光束密度の低下を抑制できる。この結果、複数のＬＥＤモジュール２２Ｓ，２２Ｔ全体の明るさのムラを低減できる。すなわち、照明器具３の照明光の明るさのムラを低減できる。
【００３７】
（変形例２）
上記の実施形態では、ＬＥＤ２２０の放射性能が、ＬＥＤ２２０が放射する光の光束の大きさを示す性能である場合を例示するが、本変形例では、ＬＥＤ２２０の放射性能が、ＬＥＤ２２０が放射する光の配光の広さを示す性能である場合を例示する。この場合は、図５Ａに示すように、各ＬＥＤモジュール２２において、一番端のＬＥＤ２２０Ａ，２２０Ｂは、他のＬＥＤ２２０Ｃよりも配光の広い品番のＬＥＤである。すなわち、一番端のＬＥＤ２２０Ａ，２２０Ｂの配光（図５Ｂ）は、他のＬＥＤ２２０Ｃの配光（図５Ｃ）よりも広い。
【００３８】
なお、図５Ｂ及び図５Ｃは、ＬＥＤ２２０の光軸を通りかつ基板２２１の下面に垂直な仮想平面で見たＬＥＤ２２０の配光特性であり、図５ＢがＬＥＤ２２０Ａ，２２０Ｂの配光特性の一例を示し、図５ＣがＬＥＤ２２０Ｃの配光特性の一例を示す。図５Ｂ及び図５Ｃのグラフの周方向は、ＬＥＤ２２０が放射した光の放射方向を示し、グラフの０度方向が基板２２２１の下面の法線方向である。また、グラフの径方向は、ＬＥＤ２２０が放射した光の光度（光束の大きさ）を示す。
【００３９】
上記のように、一番端のＬＥＤ２２０Ａ，２２０Ｂの配光が他のＬＥＤ２２０Ｃの配光（図５Ｃ）よりも広いことで、各ＬＥＤモジュール２２Ｓ，２２Ｔの隣接端部２２１ａ，２２１ｂには、より広い配光のＬＥＤ２２０Ａ，２２０Ｂが配置される。これにより、複数のＬＥＤモジュール２２Ｓ，２２Ｔが一列に並べられたときに、間隔Ｄ１が間隔Ｄ２よりも大きくても、隣り合うＬＥＤモジュール２２Ｓ，２２Ｔの間の部分（間隔Ｄ１の部分）の光束密度の低下を抑制できる。この結果、複数のＬＥＤモジュール２２Ｓ，２２Ｔ全体の明るさのムラを低減できる。すなわち、照明器具３の照明光の明るさのムラを低減できる。
【００４０】
（変形例３）
上記の実施形態又は変形例１において、図６に示すように、ＬＥＤモジュール２２Ｓ，２２Ｔにおいて、間隔Ｄ３（第１間隔）は、間隔Ｄ２（第２間隔）よりも大きくてもよい。より詳細には、例えば、他のＬＥＤ２２０Ｃ１の配置は、基板２２１の長手方向に沿って、一番端のＬＥＤ２２０Ａから遠ざかる方向にずれた配置であってもよい。また、他のＬＥＤ２２０Ｃ２の配置は、基板２２１の長手方向に沿って、一番端のＬＥＤ２２０Ｂから遠ざかる方向にずれた配置であってもよい。
【００４１】
なお、間隔Ｄ３は、一番端のＬＥＤ２２０Ａ，２２０Ｂと他のＬＥＤ２２０Ｃ１，２２０Ｃ２との間隔である。他のＬＥＤ２２０Ｃ１，２２０Ｃ２は、複数のＬＥＤ２２０Ｃのうち一番端のＬＥＤ２２０Ａ，２２０Ｂの隣に配置されたＬＥＤである。間隔Ｄ２は、複数のＬＥＤ２２０Ｃにおける隣り合うＬＥＤ２２０Ｃの間隔である。なお、間隔Ｄ３は、例えば、間隔Ｄ１よりも小さい。
【００４２】
本変形例では、間隔Ｄ３が間隔Ｄ２よりも大きいことで、隣り合うＬＥＤモジュール２２Ｓ，２２Ｔの間の部分（間隔Ｄ１の部分）の光束密度をより小さくなるように微調整できる。例えば、一番端のＬＥＤ２２０Ａ，２２０Ｂの光束が大き過ぎて、ＬＥＤモジュール２２Ｓ，２２Ｔの間の部分の光束密度が各ＬＥＤモジュール２２Ｓ，２２Ｔ内の光束密度と比べて大きい場合を考える。この場合、本変形例のように、間隔Ｄ３を間隔Ｄ２よりも大きくすることで、ＬＥＤモジュール２２Ｓ，２２Ｔの間の部分の光束密度をより小さくなるように微調整できる。この結果、複数のＬＥＤモジュール２２Ｓ，２２Ｔ全体の明るさのムラをより一層低減できる。すなわち、照明器具３の照明光の明るさのムラをより一層低減できる。
【００４３】
なお、本変形例では、上記の実施形態又は変形例１に適用される場合を例示するが、変形例２に適用されてもよい。この場合も、一番端のＬＥＤ２２０Ａ，２２０Ｂの配光が広過ぎて、ＬＥＤモジュール２２Ｓ，２２Ｔの間の部分（間隔Ｄ１の部分）の光束密度が、各ＬＥＤモジュール２２Ｓ，２２Ｔ内の光束密度に比べて大きい場合を考える。この場合、本変形例のように、間隔Ｄ３を間隔Ｄ２よりも大きくすることで、ＬＥＤモジュール２２Ｓ，２２Ｔの間の部分の光束密度をより小さくなるように微調整できる。この結果、複数のＬＥＤモジュール２２，２２Ｔ全体の明るさのムラをより一層低減できる。すなわち、照明器具３の照明光の明るさのムラをより一層低減できる。
【００４４】
（変形例４）
変形例３では、間隔Ｄ３（第１間隔）は間隔Ｄ２（第２間隔）よりも大きいが、本変形例では、図７に示すように、間隔Ｄ３は間隔Ｄ２よりも小さい。より詳細には、例えば、他のＬＥＤ２２０Ｃ１の配置は、基板２２１の長手方向に沿って、一番端のＬＥＤ２２０Ａに近づく方向にずれた配置である。また、他のＬＥＤ２２０Ｃ２の配置は、基板２２１の長手方向に沿って、一番端のＬＥＤ２２０Ｂに近づく方向にずれた配置である。
【００４５】
このように、間隔Ｄ３が間隔Ｄ２よりも小さいことで、隣り合うＬＥＤモジュール２２Ｓ，２２Ｔの間の部分（間隔Ｄ１の部分）の光束密度をより大きくなるように微調整できる。例えば、一番端のＬＥＤ２２０Ａ，２２０Ｂの光束が小さ過ぎて、ＬＥＤモジュール２２Ｓ，２２Ｔの間の部分（間隔Ｄ１の部分）の光束密度が、各ＬＥＤモジュール２２Ｓ，２２Ｔ内の光束密度と比べて小さい場合を考える。この場合、本変形例のように、間隔Ｄ３を間隔Ｄ２よりも小さくすることで、ＬＥＤモジュール２２Ｓ，２２Ｔの間の部分の光束密度をより大きくなるように微調整できる。この結果、複数のＬＥＤモジュール２２Ｓ，２２Ｔ全体の明るさのムラをより一層低減できる。すなわち、照明器具３の照明光の明るさのムラをより一層低減できる。
【００４６】
なお、本変形例では、上記の実施形態又は変形例１に適用される場合を例示するが、変形例２に適用されてもよい。この場合も、一番端のＬＥＤ２２０Ａ，２２０Ｂの配光が狭過ぎて、ＬＥＤモジュール２２Ｓ，２２Ｔの間の部分（間隔Ｄ１の部分）の光束密度が、各ＬＥＤモジュール２２Ｓ，２２Ｔ内の光束密度に比べて小さい場合を考える。この場合、本変形例のように、間隔Ｄ３を間隔Ｄ２よりも小さくすることで、ＬＥＤモジュール２２Ｓ，２２Ｔの間の部分の光束密度をより大きくなるように微調整できる。この結果、複数のＬＥＤモジュール２２，２２Ｔ全体の明るさのムラをより一層低減できる。すなわち、照明器具３の照明光の明るさのムラをより一層低減できる。
【００４７】
（変形例５）
上記の実施形態では、全てのＬＥＤモジュール２２の各々において、一番端のＬＥＤ２２０Ａ，２２０Ｂの放射性能が他のＬＥＤ２２０Ｃ２の放射性能よりも高い。ただし、全てのＬＥＤモジュール２２のうちの少なくとも１つのＬＥＤモジュール２２において、一番端のＬＥＤ２２０Ａ，２２０Ｂの放射性能が他のＬＥＤ２２０Ｃの放射性能よりも高くてもよい。この場合も、複数のＬＥＤモジュール２２全体の明るさのムラを低減できる。すなわち、照明器具３の照明光の明るさのムラを低減できる。
【００４８】
（まとめ）
第１の態様に係る光源モジュール（２２）は、基板（２２１）と、複数の光源（２２０）と、を備える。複数の光源（２２０）は、基板（２２１）に設けられている。複数の光源（２２０）は、基板（２２１）の長手方向に沿って並んでいる。複数の光源（２２０）は、第１光源（２２０Ａ，２２０Ｂ）と、複数の第２光源（２２０Ｃ）とを含む。第１光源（２２０Ａ，２２０Ｂ）は、複数の光源（２２０）のうちの一番端に並んでいる。複数の第２光源（２２０Ｃ）は、複数の光源（２２０）のうちの第１光源（２２０Ａ，２２０Ｂ）以外の光源である。第１光源（２２０Ａ，２２０Ｂ）における光を放射する放射性能は、第２光源（２２０Ｃ）の前記放射性能よりも高い。
【００４９】
この構成によれば、第１光源（２２０Ａ，２２０Ｂ）の放射性能は第２光源（２２０Ｃ）の放射性能よりも高いため、複数の光源モジュール（２２）を一列に並べたとき、隣り合う光源モジュール（２２）の間の部分の光束密度の低下を抑制できる。この結果、複数の光源モジュール（２２）全体の明るさのムラを低減できる。
【００５０】
第２の態様に係る光源モジュール（２２）では、第１の態様において、放射性能は、光源（２２０）が放射する光の光束の大きさを示す性能、又は光源（２２０）が放射する光の配光の広さを示す性能である。
【００５１】
この構成によれば、複数の光源モジュール（２２）が一列に並べられたときに、隣り合う光源モジュール（２２）の間の部分の光束密度の低下を容易に抑制できる。この結果、複数の光源モジュール（２２）全体の明るさのムラを低減できる。
【００５２】
第３の態様に係る光源モジュール（２２）では、第１又は第２の態様において、第１光源（２２０Ａ，２２０Ｂ）は、基板（２２１）における長手方向の両端部（２２１ａ，２２１ｂ）のうち、他の光源モジュール（２２）と隣り合う端部の付近に設けられている。
【００５３】
この構成によれは、複数の光源モジュール（２２）が一列に並べられたときに、第１光源（２２０Ｂ）は、隣り合う光源モジュール（２２）の間の部分の光束密度の低下を抑制できる。
【００５４】
第４の態様に係る光源モジュール（２２）では、第１〜第３の態様のうち何れか１つの態様において、第１光源（２２０Ａ，２２０Ｂ）と、複数の第２光源（２２０Ｃ）のうちの第１光源（２２０Ａ，２２０Ｂ）の隣に配置された第２光源（２２０Ｃ）との間隔を、第１間隔（Ｄ３）とする。複数の第２光源（２２０Ｃ）における隣り合う第２光源（２２０Ｃ）の間隔を、第２間隔（Ｄ２）とする。第１間隔（Ｄ３）は、第２間隔（Ｄ２）よりも大きい。
【００５５】
この構成によれば、複数の光源モジュール（２２）が一列に並べられたときに、隣り合う光源モジュール（２２）の間の部分の光束密度を、より小さくなるように微調整できる。この結果、複数の光源モジュール（２２）全体の明るさのムラをより一層低減できる。
【００５６】
第５の態様に係る光源モジュール（２２）では、第１〜第３の態様の何れか１つの態様において、第１光源（２２０Ａ，２２０Ｂ）と、複数の第２光源（２２０Ｃ）のうち第１光源（２２０Ａ，２２０Ｂ）の隣に配置された第２光源（２２０Ｃ１，２２０Ｃ２）との間隔を、第１間隔（Ｄ３）とする。複数の第２光源（２２０Ｃ）における隣り合う第２光源（２２０Ｃ）の間隔を、第２間隔（Ｄ２）とする。第１間隔（Ｄ３）は、第２間隔（Ｄ２）よりも小さい。
【００５７】
この構成によれば、複数の光源モジュール（２２）が一列に並べられたときに、隣り合う光源モジュール（２２）の間の部分の光束密度を、より大きくなるように微調整できる。この結果、複数の光源モジュール（２２）全体の明るさのムラをより一層低減できる。
【００５８】
第６の態様に係る光源ユニット（２）は、複数の光源モジュール（２２）を備える。複数の光源モジュール（２２）の各々は、基板（２２１）と、複数の光源（２２０）と、を備える。複数の光源（２２０）は、基板（２２１）に設けられている。複数の光源（２２０）は、基板（２２１）の長手方向に沿って並んでいる。複数の光源モジュール（２２）の各々の基板（２２１）は、長手方向に沿って一列に並んでいる。複数の光源モジュール（２２）のうちの少なくとも１つは、第１〜第５の態様の何れか１つの態様の光源モジュール（２２）である。
【００５９】
この構成によれば、複数の光源モジュール（２２）が一列に並べられた光源ユニット（２）において、光源ユニット（２）の照明光の明るさのムラを低減できる。
【００６０】
第７の態様に係る照明器具（３）は、第６の態様の光源ユニット（２）と、器具本体（４）と、を備える。器具本体（４）は、光源ユニット（２）を支持する。
【００６１】
この構成によれば、照明器具（３）の照明光の明るさのムラを低減できる。
【符号の説明】
【００６２】
２  光源ユニット
３  照明器具
４  器具本体
２２  ＬＥＤモジュール（光源モジュール）
２２０  ＬＥＤ（光源）
２２０Ａ，２２０Ｂ  一番端のＬＥＤ（第１光源）
２２０Ｃ，２２０Ｃ１，２２０Ｃ２  他のＬＥＤ（第２光源）
２２１  基板
Ｄ２  間隔（第２間隔）
Ｄ３  間隔（第１間隔）
【図１】
2020119868.tif 000003
【図２】
2020119868.tif 000004
【図３】
2020119868.tif 000005
【図４】
2020119868.tif 000006
【図５】
2020119868.tif 000007
【図６】
2020119868.tif 000008
【図７】
2020119868.tif 000009